(57)【要約】      （修正有）【課題】運動過程全体においての滑り止めと汗吸収を良好にすることを可能にする表面を有する滑り止め付運動マットを提供する。【解決手段】滑り止め付運動マットは、発泡体１０、布質の層１１及び一つ以上の軟質プラスチック材１３から構成される。発泡体１０は所定の厚さを有する。布質の層１１は発泡体の少なくとも一面に配置される。軟質プラスチック材１３は布質の層１１の表面に配置、固定されることにより布質の層１１の表面の所定の区域を占める。これにより、運動過程全体に良好な滑り止め効果及び良好な汗吸収効果を与えることが可能である。【選択図】図４
0003142262.tif 000002
【実用新案登録請求の範囲】
【請求項１】
所定の厚さを有する発泡体と、
前記発泡体の少なくとも一面に配置される布質の層と、
前記布質の層の表面に配置、固定されることにより前記布質の層の表面の所定の区域を占める少なくとも一つの軟質プラスチック材と、
を含むことを特徴とする滑り止め付運動マット。
【請求項２】
前記布質の層は、前記発泡体に固定されることを特徴とする請求項１に記載の滑り止め付運動マット。
【請求項３】
前記布質の層は、貼付方法によって前記発泡体に固定されることを特徴とする請求項２に記載の滑り止め付運動マット。
【請求項４】
前記発泡体は、前記布質の層によって被覆されることを特徴とする請求項１に記載の滑り止め付運動マット。
【請求項５】
前記軟質プラスチック材は、粘着方法によって前記布質の層の表面に固定されることを特徴とする請求項１に記載の滑り止め付運動マット。
【請求項６】
前記布質の層の上に複数の前記軟質プラスチック材を配置することを特徴とする請求項１に記載の滑り止め付運動マット。
【請求項７】
前記軟質プラスチック材は、所定の厚さを有することを特徴とする請求項６に記載の滑り止め付運動マット。
【請求項８】
前記軟質プラスチック材の厚さは０．０１ｃｍから０．７ｃｍの間であることを特徴とする請求項７に記載の滑り止め付運動マット。
【請求項９】
前記軟質プラスチック材は桿状を呈し、規則的な配列方法によって前記布質の層の上に配置されることを特徴とする請求項６に記載の滑り止め付運動マット。
【請求項１０】
前記軟質プラスチック材は桿状を呈し、不規則的な配列方法によって前記布質の層の上に配置されることを特徴とする請求項６に記載の滑り止め付運動マット。
【請求項１１】
前記軟質プラスチック材は円片状を呈することを特徴とする請求項６に記載の滑り止め付運動マット。
【考案の詳細な説明】
【技術分野】
【０００１】
本考案は運動マットに関し、特に汗吸収機能及び滑り止め機能を兼ね備える滑り止め付運動マットに関する。
【背景技術】
【０００２】
従来の運動マットは下記の通り二種類ある。
一つは、プラスチックまたはゴムの発泡体から構成され、その上層はプラスチックまたはゴムの発泡体の上に接着される布質の層である。使用者が運動マットを床の上に敷けば運動を始めることが可能である。使用者が汗をかいた時、布質の層は掌及び身体の汗を吸収し、適切な滑り止め機能を果たすことが可能である。かつ発泡体は使用者が運動する際、保護と緩衝機能を果たすことが可能である。即ち代表的な例は長形のマットを備える（例えば、特許文献１参照）。マットは上下の両層に分けられ、そのうちの下層は通気性の発泡体から構成される通気層であり、上層は通気層の上に接着される布質の網状層である。
【０００３】
もう一つは、プラスチックまたはゴムの発泡体から構成され、その表面は上層に布質の層を貼り付けない純粋なプラスチックまたはゴムから形成される表面である。使用者の発汗が無いか少ない場合、良好な滑り止め機能を果たすが可能である。代表的な例は発泡プラスチック材質から構成されるマットを備える（例えば、特許文献２参照）。
【０００４】
従来の運動マットの機能は限られる。例えば、図１に示す通り、プラスチックまたはゴムの発泡体１０ａ、または、図２に示す通り、表面に一層のプラスチックまたはゴム皮質の層１２ａが貼られた運動マットは使用者が手汗をかかない時のみに、手部に良好な滑り止め機能を与えることが可能である。使用者が汗を大量にかいた時、プラスチックまたはゴムの発泡体１０ａ、またはプラスチックまたはゴム皮質の層１２ａの表面は良好な汗吸収機能及び良好な滑り止め機能を果たすことができず、掌を運動マットの表面に滑らせてしまうような事態が起こる。それに対し、図３に示す通り、その発泡体の表面に別の布質の層１１ａが貼られた運動マットは、上述の運動マットの機能と全く異なる。掌が汗をかいて潤っている時、布質の層１１ａが貼られた運動マットは良好な汗吸収機能及び適切な滑り止め機能を果たすことが可能であるが、手部が汗をかいていないか掌が乾燥している時、乾燥している掌と布質の表面とは良好な抵抗力がないため、掌が運動マットの表面を滑ってしまうような事態が起こる。
【０００５】
使用者が運動を始めたばかりの時、手汗をかかないため、一般のプラスチックまたはゴムの発泡体から構成される運動マット、或いは表面にプラスチックまたはゴム皮質の層１２ａを有する運動マットは良好な滑り止め機能を果たすことが可能である。使用者がしばらく運動して汗をかき始めると、プラスチックまたはゴムの発泡体１０ａ、或いは表面にプラスチックまたはゴム皮質の層１２ａを有する運動マットは良好な汗吸収、滑り止め機能を果たすことができないため、使用者は汗にまみれて不快を感じる。このとき、表面に布質の層１１ａを有する運動マットによって汗吸収と滑り止めを図る必要がある。言い換えれば、掌が汗をかかないうちは、一般のプラスチックまたはゴムの発泡体１０ａ、或いは表面にプラスチックまたはゴム皮質の層１２ａを有する運動マットを使用すれば滑り止めを達成することが可能であるが、掌が汗をかき始めると、汗吸収・滑り止めを図るため、表面に布質の層１１ａを有する運動マットに取り換えなければならない。上述した通り、以上の二種類の運動マットを取り換えながら使用する方法は使用者にとって不便なことである。特にヨーガの場合、運動の最初から最後まで掌によって運動マットの上で支える必要があるため、使用者にとって最も欲しいのは手汗をかくか否かに係わらず運動過程全体に滑り止め機能を完全に与えることが可能な運動マットであるといえる。
【特許文献１】台湾特許第Ｍ２５１６２２号明細書
【特許文献２】台湾特許第Ｍ２７４１３６号明細書
【考案の開示】
【考案が解決しようとする課題】
【０００６】
本考案の主な目的は、汗をかくか否かまたは身体の皮膚が乾燥しているか否かに係わらず柔軟な触感を与え、運動過程全体においての滑り止めと汗吸収を良好にすることを可能にする表面を有する滑り止め付運動マットを提供することである。
【課題を解決するための手段】
【０００７】
上述の目的を達成するために、本考案による滑り止め付運動マットは、発泡体、布質の層及び一つ以上の軟質プラスチック材から構成される。発泡体は所定の厚さを有する。布質の層は発泡体の少なくとも一面に配置される。軟質プラスチック材は布質の層の表面に配置、固定されることにより布質の層の表面の所定の区域を占める。これにより、運動過程全体に良好な滑り止め効果及び良好な汗吸収効果を与えることが可能である。
【考案を実施するための最良の形態】
【０００８】
以下、本考案の実施の形態を図面に基づいて説明する。
（第一実施例）
図４と図５に示すように、本考案の第一実施例による滑り止め付運動マットは発泡体１０、布質の層１１及び複数の軟質プラスチック材１３から構成される。
【０００９】
発泡体１０は所定の厚さを有する。
布質の層１１は発泡体１０の少なくとも一面に配置される。
軟質プラスチック材１３はプラスチックまたはゴムにすることが可能であり、かつ布質の層１１の表面に配置、固定されることにより布質の層１１の表面の所定の区域を占める。本実施例において、軟質プラスチック材１３は粘着方法によって布質の層１１の表面に固定される。
【００１０】
そのうちの布質の層１１は貼付方法によって発泡体１０に固定される。軟質プラスチック材１３は所定の厚さを有し、その厚さは０．０１ｃｍから０．７ｃｍの間であり、かつ軟質プラスチック材１３は桿状及び円片状を呈する。
図６に示すのは本実施例における軟質プラスチック材１３が桿状を呈し、布質の層１１に配置される状態である。
【００１１】
図７に示すのは布質の層１１が発泡体１０に貼り付けられる際の断面状態である。
上述した構造により、本実施例は、外部に配置される布質の層１１及び軟質プラスチック材１３を有するため、使用者が運動して手汗をかいた時、布質の層１１によって汗吸収と滑り止めを果たすことが可能である。また汗をかいていない時、軟質プラスチック材１３によって滑り止め効果を果たすことが可能であるため、運動過程全体に滑り止め効果を与える目的を達成することが可能となる。
【００１２】
（第二実施例）
図８に示すように、本考案の第二実施例による滑り止め付運動マットは第一実施例とほぼ同じである。第一実施例との違いは発泡体１０が布質の層１１によって被覆されることである。
第二実施例のほかの構造及び達成した効果は第一実施例と同じであるため、説明を省略する。
【００１３】
図９に示すように、軟質プラスチック材１３を布質の層１１に固定する場合、溶剤で軟質プラスチック材１３の底面を溶解し、布質の層１１の中に浸透させ、そののち溶剤を完全に揮発させることにより固定効果を達成することが可能である。
図１０に示すように、軟質プラスチック材１３を布質の層１１に固定する場合、粘着方法によって固定することも可能である。
【００１４】
図１１に示すように、一部分が規則的で一部分が不規則である方法によって軟質プラスチック材１３を布質の層１１の上に配列することも可能である。
図１２に示すように、不規則な方法によって軟質プラスチック材１３を布質の層１１の上に配列することも可能である。
上述した通り、本考案における軟質プラスチック材１３の形と配列方法は限られないため、本考案の技術に基づいて変化を加えた軟質プラスチック材１３の別の形及び配列方法は本考案の請求範囲に属すべきである。
【図面の簡単な説明】
【００１５】
【図１】従来の発泡体から構成される運動マットの斜視図である。
【図２】従来の発泡体の表面にプラスチックまたはゴム皮質の層が貼られた運動マットの斜視図である。
【図３】従来の発泡体の表面に布質の層が貼られた運動マットの斜視図である。
【図４】本考案の第一実施例の滑り止め付運動マットの斜視図である。
【図５】本考案の第一実施例の滑り止め付運動マットの一部分の断面を示す模式図である。
【図６】本考案の第一実施例の滑り止め付運動マットにおける軟質プラスチック材が別の方法によって配列される状態を示す斜視図である。
【図７】本考案の第一実施例の滑り止め付運動マットにおける布質の層が貼付方法によって発泡体に固定される状態を示す模式図である。
【図８】本考案の第二実施例の滑り止め付運動マットの一部分の断面を示す模式図である。
【図９】本考案の第二実施例の滑り止め付運動マットにおける軟質プラスチック材が布質の層に固定される状態を示す断面図である。
【図１０】本考案の第二実施例の滑り止め付運動マットにおける軟質プラスチック材が布質の層に固定される別の状態を示す断面図である。
【図１１】本考案の第二実施例の滑り止め付運動マットにおける軟質プラスチック材が一部規則的、一部不規則な方法によって配列される状態を示す斜視図である。
【図１２】本考案の第一実施例の滑り止め付運動マットにおける軟質プラスチック材が不規則な方法によって配列される状態を示す斜視図である。
【符号の説明】
【００１６】
１０：発泡体、１１：布質の層、１３：軟質プラスチック材
【図１】
0003142262.tif 000003
【図２】
0003142262.tif 000004
【図３】
0003142262.tif 000005
【図４】
0003142262.tif 000006
【図５】
0003142262.tif 000007
【図６】
0003142262.tif 000008
【図７】
0003142262.tif 000009
【図８】
0003142262.tif 000010
【図９】
0003142262.tif 000011
【図１０】
0003142262.tif 000012
【図１１】
0003142262.tif 000013
【図１２】
0003142262.tif 000014